(57)【要約】【課題】  イラスト画像や文字を自由に配置して作成した合成画像をプリントすることが可能なデジタルカメラを提供する。【解決手段】  ＬＣＤ１６には、編集画面６０が表示される。この編集画面６０は、記録画像６１と、イラスト画像列６２と、線種一覧６３とで構成されている。ユーザは、操作ペン２０を用いてタッチパネル４９を操作することによって、イラスト画像列６２から所望のイラスト画像を選択して移動させる。これにより、所望のイラスト画像を記録画像６１内に配置させることができる。また、操作ペン２０を用いてタッチパネル４９上をなぞることによって、手書き文字７２を記録画像６１内に配置させることができる。その後、イラスト画像と手書き文字７２とで構成させる編集画像と記録画像６１とを合成して合成画像が作成されて、この合成画像がプリントされる。【選択図】        図６
2006352670.tif 000002
【特許請求の範囲】
【請求項１】
被写体像を撮像する撮像手段と、この撮像手段によって撮像された画像を表示する表示手段と、前記画像を記録紙にプリントするプリンタとを備えたデジタルカメラにおいて、
前記表示手段の前面に設けられたタッチパネルと、
前記タッチパネルの操作によって編集された編集画像と前記画像とを合成する画像合成手段とを備え、
前記画像合成手段によって合成された合成画像が、前記プリンタによって前記記録紙にプリントされることを特徴とするデジタルカメラ。
【請求項２】
複数のイラスト画像を予め記憶する記憶手段を備え、前記画像を前記表示手段に表示させた状態で、前記タッチパネルの操作によって前記イラスト画像を前記画像内に配置して前記編集画像が作成されることを特徴とする請求項１記載のデジタルカメラ。
【請求項３】
前記画像を前記表示手段に表示させた状態で、前記タッチパネルの操作によって手書き文字や図形が前記画像内に配置され、前記編集画像が作成されることを特徴とする請求項１または請求項２記載のデジタルカメラ。
【請求項４】
前記表示手段には、複数の操作ボタンが表示され、前記タッチパネルの操作によって、前記操作ボタンが選択されることを特徴とする請求項１ないし請求項３のいずれか記載のデジタルカメラ。
【発明の詳細な説明】
【技術分野】
【０００１】
本発明は、プリンタを内蔵し、撮影画像をプリントすることが可能なデジタルカメラに関する。
【背景技術】
【０００２】
近年、ゲームセンター等の遊戯施設には、遊戯者を撮影し、この撮影画像と予め記憶された背景または前景画像とを合成した合成画像をその場でシール用紙にプリントして出力するプリクラ（登録商標）等の遊戯装置が設置されている。このような遊戯装置は、その手軽さから広く一般に利用されている。また、デジタルカメラからパソコンに撮影画像を取り込んで、この撮影画像と予め記憶された背景または前景画像とを合成した合成画像をプリントすることが可能なソフトウェアも一般に普及している。
【０００３】
しかし、前述の遊戯装置やソフトウェアを利用する場合、遊戯装置やパソコンが近くにない場合は利用できないという問題がある。このような問題を解決するために、シールプリンタ機能を内蔵したデジタルカメラが知られている（例えば、特許文献１参照）。このデジタルカメラを用いることによって、ユーザのいる場所に関わらず、撮影を行って撮影画像をその場でプリントすることが可能である。また、このデジタルカメラでは、前述の遊戯装置やソフトウェアと同様に、撮影画像予め記憶された背景または前景画像とを合成した合成画像をプリントすることができる。
【特許文献１】特開平１０−２５７４２７号公報
【発明の開示】
【発明が解決しようとする課題】
【０００４】
しかしながら、上記特許文献１に記載のデジタルカメラでは、撮影画像と予め記憶された背景または前景との合成はできるが、描画ツール等で入力された文字や、図形や、イラスト等を合成することができないという問題があった。
【０００５】
本発明は上記事情に鑑みてなされたものであり、イラストや、手書き入力された文字や図形等を撮影画像と合成してプリントすることが可能なデジタルカメラを提供することを目的とする。
【課題を解決するための手段】
【０００６】
上記課題を解決するために、本発明のデジタルカメラは、被写体像を撮像する撮像手段と、この撮像手段によって撮像された画像を表示する表示手段と、前記画像を記録紙にプリントするプリンタとを備えたデジタルカメラであり、前記表示手段の前面に設けられたタッチパネルと、前記タッチパネルの操作によって編集された編集画像と前記画像とを合成する画像合成手段とを備え、前記画像合成手段によって合成された合成画像が、前記プリンタによって前記記録紙にプリントされることを特徴とするものである。
【０００７】
また、複数のイラスト画像を予め記憶する記憶手段を備え、前記画像を前記表示手段に表示させた状態で、前記タッチパネルの操作によって前記イラスト画像を前記画像内に配置して前記編集画像が作成されることが好ましい。
【０００８】
さらに、前記画像を前記表示手段に表示させた状態で、前記タッチパネルの操作によって手書き文字や図形が前記画像内に配置され、前記編集画像が作成されることを特徴とするものである。
【０００９】
また、前記表示手段には、複数の操作ボタンが表示され、前記タッチパネルの操作によって、前記操作ボタンが選択されることが好ましい。
【発明の効果】
【００１０】
本発明のデジタルカメラによれば、タッチパネルの操作によって編集された編集画像と、撮像手段によって撮像された画像とを合成して合成画像を作成することができるので、ユーザが指定したイラストや、描画ツール等で入力された文字や図形等と、画像とを合成して合成画像を作成してプリントすることができる。このため、ユーザの好きなイラストや文字や図形等を用いて合成画像を作成することができる。
【００１１】
また、複数のイラスト画像を予め記憶する記憶手段を備えており、表示手段に画像が表示された状態でタッチパネルを操作することによって、所望のイラスト画像を所望の位置に配置して合成画像を作成することができる。このため、ユーザは、作成される合成画像を確認しながら操作を行うことができる。
【００１２】
さらに、表示手段に画像が表示された状態でタッチパネルを操作することによって、手書き文字や図形を所望の位置に配置して合成画像を作成することができる。このため、ユーザは、好きな文字や図形を自ら入力して合成画像を作成することができる。また、作成される合成画像を確認しながら操作を行うことができる。
【００１３】
また、複数の操作ボタンを表示手段に表示して、これらの操作ボタンが操作された時に、各操作ボタンに対応する処理が実行される。このため、カメラ本体に多くの操作ボタンを設ける必要がないので、デジタルカメラの製造コストを低減することができる。
【発明を実施するための最良の形態】
【００１４】
図１及び図２に示すデジタルカメラ１０は、略直方体形状のカメラ本体１１の前面に、撮影レンズ１２と、対物ファインダ窓１３と、ストロボ発光部１４とが設けられている。また、カメラ本体１１の背面には、接眼ファインダ窓１５と、画像を表示する表示手段であるＬＣＤ１６とが設けられている。さらに、このＬＣＤ１６の表面には、後述するように、タッチパネル（図４参照）４９が設けられている。
【００１５】
また、カメラ本体１１の上面には、シャッタボタン１７と、電源ボタン１８と、収納部１９とが設けられている。この収納部１９には、タッチパネル４９を操作するための操作ペン２０が着脱自在に収納される。
【００１６】
さらに、カメラ本体１１の右側面には、画像データが記憶されるメモリカードが着脱自在に装填されるスロット２１が設けられている。また、カメラ本体１１の左側端部１１ａ内には、後述するように、シール用紙２５に画像をプリントするプリンタ（図４参照）４８が内蔵されており、カメラ本体１１の左側面には、画像がプリントされたシール用紙２５を排出する排出口２６が設けられている。
【００１７】
また、左側端部１１ａの背面側には、蓋２７が設けられている。この蓋２７は、シール用紙２５がロール状に巻かれたロールを装填する時に開閉される。また、前述の排出口２６には、カッタ（図示せず）が設けられており、排出口２６から排出されたシート用紙２５は、このカッタに押し当てることにより切断される。
【００１８】
また、デジタルカメラ１０は、動画撮影モード、静止画撮影モード、再生モードの他に、記録画像編集モードを備えている。この記録画像編集モードでは、手書き文字やイラスト画像等を記録影画像に合成して合成画像を作成可能であり、この合成画像をプリントして出力することができる。
【００１９】
また、デジタルカメラ１０は、シャッタボタン１７及び電源ボタン１８の他に、操作ボタンを備えていない。その代わりに、複数の操作ボタンがＬＣＤ１６に表示され、ユーザは、操作ペン２０を用いて、これらの操作ボタンを操作する。例えば、デジタルカメラ１０の電源がＯＮにされた時に、図３に示すモード選択画面２８をＬＣＤ１６に表示する。このモード選択画面２８は、動画撮影モード、静止画撮影モード、記録画像編集モード、及び再生モードの４つのモードを選択するための４個の選択ボタン２９ａ〜２９ｄで構成されている。ユーザは、操作ペン２０を用いて選択ボタン２９ａ〜２９ｄのいずれかを操作することによって、所望のモードを選択する。
【００２０】
次に、デジタルカメラ１０の電気的構成について説明する。図４に示すように、デジタルカメラ１０は、カメラ全体を制御する制御手段であるシステムコントローラ３１を備えており、このシステムコントローラ３１の内には、記憶手段であるＲＯＭ３１ａ及びＲＡＭ３１ｂが設けられている。ＲＯＭ３１ａには、制御プログラム、及び各種制御用のデータが記憶されている。さらに、このＲＯＭ３１ａには、記録画像編集モードで使用される複数のイラスト画像データや、手書き文字用の線種データ等が記憶されている。また、ＲＡＭ３１ｂには、作業用データが一時的に記憶される。システムコントローラ３１は、制御プログラムや各種制御用のデータに基づいて各部を制御する。
【００２１】
また、撮影レンズ１２の背後には、撮影レンズ１２を透過した被写体光を撮像する撮像手段であるＣＣＤイメージセンサ３２が配置されており、このＣＣＤイメージセンサ３２には、ＣＣＤドライバ３３が接続されている。
【００２２】
ＣＣＤドライバ３３は、タイミングジェネレータ３４から入力されるクロックパルスに応じて、垂直駆動信号及び水平駆動信号をＣＣＤイメージセンサ３１に入力して、ＣＣＤイメージセンサ３１を駆動する。また、タイミングジェネレータ３４は、システムコントローラ３１に接続されており、システムコントローラ３１は、このタイミングジェネレータ３４を制御して、クロックパルスを発生させることによってＣＣＤイメージセンサ３１の駆動を制御する。
【００２３】
また、ＣＣＤイメージセンサ３２には、相関二重サンプリング回路（ＣＤＳ）３５、及びアンプ（ＡＭＰ）３６が接続されている。これらによって、ＣＣＤイメージセンサ３１から出力された撮像信号に対して、ノイズの除去や増幅が施される。
【００２４】
その後、ノイズの除去や増幅が施された撮像信号が、Ａ／Ｄ変換器３７によってアナログ信号からデジタル信号に変換されて、画像入力コントローラ３８に画像データとして出力される。
【００２５】
画像入力コントローラ３８は、データバス３９を介してシステムコントローラ３１に接続されており、システムコントローラ３１によって制御される。また、画像入力コントローラ３８には、データバス３９を介してバッファメモリ４０、及びビデオメモリ４１が接続されている。システムコントローラ３１は、画像入力コントローラ３８を制御して、画像データをバッファメモリ４０またはビデオメモリ４１に記憶させる。
【００２６】
システムコントローラ３１には、データバス３９を介して画像信号処理回路４２が接続されており、撮像された高解像度の画像データがバッファメモリ４０に一時的に記憶されている間に、画像データに対して階調変換、ホワイトバランス補正、γ補正等の各種画像処理、及びＹＣ変換処理等を施す。
【００２７】
また、ビデオメモリ４１には、ＬＣＤ１６に画像を表示させる際に、解像度の低い画像データが一時的に記憶され、画像信号処理回路４２によって簡易な画像処理と簡易なＹＣ変換処理等が施される。このビデオメモリ４１に記憶された画像データは、データバス３９を介してＬＣＤドライバ４３に送信される。ＬＣＤドライバ４３は、ＬＣＤ１６に画像を表示できるように、画像データに対して信号処理を施して、画像をＬＣＤ１６に表示させる。
【００２８】
また、システムコントローラ３１には、データバス３９を介して、圧縮伸張処理回路４４、及びメディアコントローラ４５が接続されている。圧縮伸張処理回路４４は、バッファメモリ４０に記憶された画像データに対してＪＰＥＧ方式等の圧縮形式により圧縮処理を施す。また、システムコントローラ３１は、メディアコントローラ４５を制御して、圧縮処理された画像データをメモリカード４６に記憶させる。また、圧縮伸張処理回路４４は、メモリカード４６に記憶された画像データを再生する際に、圧縮された画像データに対して伸張処理を行う。
【００２９】
さらに、システムコントローラ３１には、データバス３９を介して、ストロボ装置４７、プリンタ４８、タッチパネル４９、及び画像合成処理部５０が接続されている。システムコントローラ３１は、ストロボ装置４７を制御することによって、ストロボ発光部１４からストロボ光を被写体に向けて放射させる。
【００３０】
プリンタ４８は、例えば、ＴＡ（Thermo-Autochrome）方式のプリンタであり、サーマルヘッドと、光定着用のＬＥＤとを備えている。また、前述のシール用紙２５は、３層の感熱発色層を重ねたカラー感熱記録紙であり、加熱することによりそれぞれシアン、マゼンタ、イエローの３原色に発色して、紫外線を照射することにより定着される。また、このシール用紙２５は、裏面に粘着剤が塗布された複数の小駒シールが剥離可能に長尺の基板用紙に配置されて構成されており、ロール状に巻かれた状態でカメラ本体１１内に収納される。プリンタ４８は、シート用紙２５をロールから引き出して、熱記録及び光定着を施して、画像が記録されたシート用紙２５を排出口２６から排出される。
【００３１】
また、タッチパネル４９は、前述したように、ＬＣＤ１６の表示面上に設けられている。このタッチパネル４９は、ユーザによって触れられた時に、その接触位置を検出する。このタッチパネル４９としては、アナログ容量結合方式、５線式アナログ抵抗膜方式、超音波表面弾性波方式、４線式アナログ抵抗膜方式等のものを使用可能であるが、光透過性が高く鮮明な画像を表示することが可能な超音波表面弾性波方式のタッチパネルを用いることが好ましい。
【００３２】
このタッチパネル４９は、接触位置を検出して接触位置情報をシステムコントローラ３１に出力する。複数の操作ボタンがＬＣＤ１６に表示されている時に、タッチパネル４９がユーザによって触れられると、システムコントローラ３１は、タッチパネル４９から接触位置情報を取得して、この接触位置情報に基づいて、いずれの操作ボタンが操作されたかを判定する。システムコントローラ３１は、この操作ボタンに対応する処理を実行する。
【００３３】
画像合成処理部５０は、記録画像編集モードにおいて、記録画像と、ユーザによって編集された編集画像とがバッファメモリ４０に記憶されている時に、これらの画像を１つの画像データに合成する。
【００３４】
また、システムコントローラ３１には、シャッタボタン１７及び電源ボタン１８が接続されており、これらから操作信号を取得した時に、各操作信号に対応する処理を実行する。
【００３５】
次に、デジタルカメラ１０の記録画像編集処理を図５のフローチャートを用いて説明する。電源ボタン１８が押圧操作されてデジタルカメラ１０の電源がＯＮにされると、図３に示すモード選択画面２８が表示される。ユーザが、操作ペン２０を用いてタッチパネル４９を触れて操作ボタン２９ｃを選択すると、記録画像編集モードに設定される。その後、システムコントローラ３１は、メディアコントローラ４５を制御して、メモリカード４６に記録された記録画像を読み出させる。
【００３６】
システムコントローラ３１は、図６に示す編集画面６０をＬＣＤ１６に表示させる。この編集画面６０は、メモリカード４６から読み出された記録画像６１と、イラスト画像列６２と、線種一覧６３とで構成されている。イラスト画像列６２は、複数のイラスト画像で構成され、線種一覧６３は、複数の線種で構成されている。
【００３７】
また、イラスト画像列６２の上下には、戻しボタン６４及び送りボタン６５が表示されており、これらのボタン６４，６５を操作することによって、イラスト画像列６２がスクロールして、別のイラスト画像が表示される。また、線種一覧６３の上下にも同様に、戻しボタン６６及び送りボタン６７が表示されており、これらのボタン６６，６７を操作することによって、線種一覧６３がスクロールして、別の線種が表示される。
【００３８】
また、記録画像６１内には、戻しボタン６８と、送りボタン６９と、編集完了ボタン７０と、終了ボタン７１とが表示される。
【００３９】
ユーザは、操作ペン２０を用いて、戻しボタン６８または送りボタン６９を操作することによって、編集画面６０内の記録画像６１を切り替えて、所望の記録画像を選択する。この時、選択された記録画像６１が、バッファメモリ４０に記憶される。
【００４０】
その後、ユーザによって編集画像の作成が行われる。ユーザは、イラスト画像列６１の中から所望のイラスト画像を選択し、所望のイラスト画像が表示された位置に操作ペン２０を押し当てた状態で、記録画像６１内の所望の位置に移動させる。その後、操作ペン２０をタッチパネル４９から離すと、所望のイラスト画像が所望位置に配置される。なお、イラスト画像は、撮影画面上に何個配置しても良く、この場合、前述の操作を繰り返して行えば良い。また、記録画像６１内に配置されたイラスト画像を移動させる場合も、同様の操作を行えば良い。なお、イラスト画像の拡大及び縮小を行えるようにしても良い。
【００４１】
また、記録画像６１に手書き文字７２を追加する場合、ユーザは、操作ペン２０を用いて、線種一覧６３から所望の線種を選択した後、操作ペン２０を用いて、記録画像６１上でタッチパネル４９をなぞることによって、手書き文字７２が記録画像６１内に表示される。
【００４２】
以上の操作によって、イラスト画像及び手書き文字が、記録画像６１内に配置される。その後、システムコントローラ３１は、編集完了ボタン７０が操作されたか否かを判定する。
【００４３】
編集完了ボタン７０が操作されていないと判定された場合は、編集完了ボタン７０が操作されるまで待機状態となる。また、編集完了ボタン７０が操作されたと判定された場合、イラスト画像及び手書き文字７２で構成される編集画像８０をバッファメモリ４０に記憶される。画像合成処理部５０は、図７に示すように、バッファメモリ４０に記憶されている記録画像６１と編集画像８０とを合成して合成画像８１を作成する。
【００４４】
その後、システムコントローラ３１は、圧縮伸長処理回路４４及びメディアコントローラ４５を制御して、合成画像８１のデータに対して圧縮処理を施して、メモリカード４６に記録させる。
【００４５】
また、合成画像８１のデータを保存すると同時に、システムコントローラ３１は、ＬＣＤドライバ４３を制御して、図８に示す選択画面９０を表示させる。この選択画面９０には、合成画像８１のプリントを実行するか否かを選択する操作ボタン９０ａ，９０ｂが表示されている。
【００４６】
操作ボタン９０ａが操作された場合、システムコントローラ３１は、プリンタを制御して、合成画像８１をプリントしてシート用紙２５を排出口２６から排出させる。その後、図６に示す編集画面６０を再び表示させる。また、操作ボタン９０ｂが操作された場合、プリント処理を行わずに、編集画面６０を表示させる。
【００４７】
その後、システムコントローラ３１は、終了ボタン７１が操作されたか否かを判定し、終了ボタン７１が操作されていないと判定された場合、前述の記録画像編集処理を繰り返し実行する。また、終了ボタン７１が操作されたと判定された場合、記録画像編集処理を終了する。
【００４８】
なお、上記実施形態において、イラスト画像及び手書き文字で構成される編集画像と記録画像とを合成する場合を例に説明したが、これに限るものではなく、イラスト画像と手書き文字の一方のみで編集画像を構成しても良い。
【００４９】
さらに、上記実施形態において、操作ペン２０を用いてタッチパネル４９を操作する場合を例に説明したが、これに限るものではなく、ユーザが指でタッチパネル４９を操作しても良い。しかし、デジタルカメラ１０に設けられたＬＣＤ１６のサイズが小さい場合、指でタッチパネル４９を操作することは難しいので、操作ペン２０を用いて操作することが好ましい。
【００５０】
また、上記実施形態において、画像合成処理部５０を設ける場合を例に説明したが、これに限るものではなく、画像合成処理５０を設けずにプログラムで画像合成処理を行っても良い。この場合、画像合成処理のプログラムをシステムコントローラ３１内のＲＯＭ３１ａに記憶させれば良い。
【００５１】
さらに、上記実施形態において、タッチパネル４９の操作により、手書き文字を作成する場合を例に説明したが、これに限るものではなく、タッチパネル４９の操作によって、前景または背景画像や、イラスト画像や、図形等を作成できるようにしても良い。
【００５２】
また、上記実施形態において、記録画像と編集画像とを合成して合成画像を作成する場合を例に説明したが、これに限るものではなく、撮影画像データをメモリカードに記録する前に、編集画像と合成して合成画像を作成しても良い。
【００５３】
さらに、上記実施形態において、シール用紙を用いる場合を例に説明したが、これに限るものではなく、デジタルカメラに内蔵されたプリンタによってプリント可能なものであれば良い。
【００５４】
また、上記実施形態において、デジタルカメラを例に説明を行ったが、静止画撮影が可能なデジタルビデオカメラや、カメラ付き携帯電話に本発明を適用しても良い。
【図面の簡単な説明】
【００５５】
【図１】デジタルカメラの前面側の構成を示す斜視図である。
【図２】デジタルカメラの背面側の構成を示す斜視図である。
【図３】モード選択画面を示す説明図である。
【図４】デジタルカメラの電気的構成を示すブロック図である。
【図５】記録画像編集処理を説明するフローチャートである。
【図６】編集画面を示す説明図である。
【図７】記録画像と編集画像との合成を示す説明図である。
【図８】選択画面を示す説明図である。
【符号の説明】
【００５６】
１０  デジタルカメラ
１６  ＬＣＤ
２０  操作ペン
２５  シール用紙
２８  モード選択画面
２９ａ〜２９ｄ，９１ａ，９１ｂ  操作ボタン
４８  プリンタ
４９  タッチパネル
５０  画像合成処理部
６０  編集画面
６１  記録画像
６２  イラスト画像列
６３  線種一覧
７２  手書き文字
８０  編集画像
８１  合成画像
９０  選択画面
【図１】
2006352670.tif 000003
【図２】
2006352670.tif 000004
【図３】
2006352670.tif 000005
【図４】
2006352670.tif 000006
【図５】
2006352670.tif 000007
【図６】
2006352670.tif 000008
【図７】
2006352670.tif 000009
【図８】
2006352670.tif 000010